(57)【要約】【課題】本考案は、座板を簡単に交換可能としたベンチを提供することを課題とする。さらに、本考案は、座面が柔らかく座り心地の良いベンチを提供することを課題とする。【解決手段】ブッシュ３が挿入される複数のパイプ状突起４が形成された脚フレーム１と、パイプ状突起４に嵌合される貫通孔７を有する座板２と、座板２の上部より複数のパイプ状突起４にそれぞれ挿入され、座板２を脚フレーム１に固定するブッシュ３とを備えたベンチ。ベンチの座板は、ＥＶＡ発泡樹脂で構成されている。【選択図】    図１
0003205483.tif 000002
【実用新案登録請求の範囲】
【請求項１】
複数のパイプ状突起が形成された脚フレームと、該パイプ状突起のそれぞれに嵌合する貫通孔を有する座板と、座板の上部より該パイプ状突起内にそれぞれ挿入される本体及び該貫通孔の径よりも大きい径の頭部を有し、該座板を該脚フレームに固定するブッシュとを備えたベンチ。
【請求項２】
上記座板の表面には、ブッシュの頭部が座板に埋設される凹部が形成されていることを特徴とする請求項１に記載のベンチ。
【請求項３】
上記凹部は、座板の両面に形成されていることを特徴とする請求項２に記載のベンチ。
【請求項４】
上記座板は、ＥＶＡ発泡樹脂で構成されていることを特徴とする請求項１ないし請求項３のいずれか１項に記載のベンチ。
【考案の詳細な説明】
【技術分野】
【０００１】
本考案は、座面が柔らかく簡単に座板が交換できるベンチに関する。
【背景技術】
【０００２】
縁台、長イスも含めたベンチについては、これまでに、使用する場所・用途等に応じて多種多様なものが実用化されている。
また、これとともに、例えば特許文献１のように構造が堅固なものから、逆にシンプル・軽量で折り畳めるものなど各種の提案がなされてきている。
【先行技術文献】
【特許文献】
【０００３】
【特許文献１】実公平６−９１２２号公報
【考案の概要】
【考案が解決しようとする課題】
【０００４】
ベンチの座面は、経時変化により劣化するが、これまでのベンチは、座板が交換できない構造か交換作業が大変なものが殆どである。すなわち、これまでのベンチでは、座板を交換することは考慮されていなかった。
また、幼稚園や保育園などで使用される幼児用のベンチについては、座面が固い樹脂製又は布製のものが主流であった。
【０００５】
本考案は、これまでのベンチの不都合を解決し、座板を簡単に交換可能としたベンチを提供することを課題とする。
さらに、本考案は、座面が柔らかくて座り心地の良いベンチを提供することを課題とする。
【課題を解決するための手段】
【０００６】
本考案の上記課題を解決するための手段は、次のとおりである。
（１）複数のパイプ状突起が形成された脚フレームと、パイプ状突起のそれぞれに嵌合する貫通孔を有する座板と、座板の上部よりパイプ状突起内にそれぞれ挿入される本体及び貫通孔の径よりも大きい径の頭部を有し、座板を脚フレームに固定するブッシュとを備えたベンチ。
（２）上記座板の表面には、ブッシュの頭部が座板に埋設される凹部が形成されていることを特徴とする上記（１）に記載のベンチ。
（３）上記凹部は、座板の両面に形成されていることを特徴とする上記（２）に記載のベンチ。
（４）上記座板は、ＥＶＡ（エチレン酢酸ビニール）発泡樹脂で構成されていることを特徴とする上記（１）ないし上記（３）のいずれかに記載のベンチ。
【考案の効果】
【０００７】
本考案に係るベンチによれば、次のような効果が得られる。
（１）座板が劣化したり、破損したりした場合、簡単に交換できる。
（２）座板をリバーシブルで使用することができる。
（３）座板を軽くて柔らかいＥＶＡ発泡樹脂で構成したため、柔らかく座り心地の良いベンチが得られる。また、製品重量が軽いので子供でも持ち運びできる。
（４）さらに、座板をＥＶＡ発泡樹脂で構成したため、雨が染み込むことがなく屋外で使用することができ、雨が降った場合でも、から拭きで座面を拭くだけですぐに使用することができる。
【図面の簡単な説明】
【０００８】
【図１】本考案に係るベンチの一実施形態の分解斜視図である。
【図２】本考案に係るベンチの組み立て過程での、貫通孔、パイプ状突起周辺の各断面図である。
【図３】本考案に係るベンチの一実施形態の写真である。
【考案を実施するための形態】
【０００９】
（ベンチの一実施形態）
図１は、本考案に係るベンチの一実施形態の分解斜視図である。
脚フレーム１は、接地する４本の脚と、これらを結合する座板載置部分から構成されている。
座板載置部分には、複数個のパイプ状突起４が上向きに形成されている。
【００１０】
座板２には、パイプ状突起の対応する位置にそれぞれ貫通孔が設けられている。これらの貫通孔をそれぞれパイプ状突起に嵌合することにより、座板２を脚フレーム１に取り付ける。
ブッシュ３は、頭部５及び本体６から構成されている。座板２を脚フレーム１に固定する際に、ブッシュの本体６は、座板の上部より各パイプ状突起内にそれぞれ挿入される。
【００１１】
図２は、座板２をブッシュ３により、脚フレーム１に固定するまでの過程での、座板の貫通孔、パイプ状突起及びブッシュのそれぞれの位置関係を説明する貫通孔、パイプ状突起周辺の各断面図である。
【００１２】
図２（ａ）は、座板２の貫通孔６周辺の断面図である。座板２の表面には、貫通孔７の径より大きい径の凹部８が形成されている。
次に、座板２は、用意したパイプ状突起４を有する脚フレーム１に載置される。
【００１３】
図２（ｂ）は、脚フレーム１のパイプ状突起４に座板２の貫通孔６が嵌合された周辺の断面図である。座板２の表面に嵌合された状態を示すものである。
パイプ状突起４の両端は、開口されており、上方の開口は、ブッシュの本体５の挿入に利用され、下方の開口は、ブッシュの取り外し、すなわち座板の取り外しの際のブッシュの本体５の押圧のために利用される。
最後に、座板２は、脚フレーム１にブッシュ３により固定される。
【００１４】
図２（ｃ）は、ブッシュ３により固定された脚フレーム１と座板２の状態を示す断面図である。
座板２は、パイプ状突起４に嵌合しており、ブッシュの本体６はパイプ状突起内に挿入されている。また、ブッシュの頭部５は、座板２が脚フレーム１から外れないように、貫通孔の径よりも大きい径を有し、パイプ状突起４の上部に位置するように配置される。
【００１５】
図２に示す実施形態では、座板２に凹部８を設けてブッシュの頭部４を座板２に埋設できるようにしているが、ブッシュの頭部４が座るための支障とならない場合には、このような凹部８は必ずしも必要ではない。
【００１６】
ベンチの組み立ては、ブッシュの頭部５を、例えば木槌で叩くことで完成する。
図３は、本考案に係るベンチの一例を紹介する写真である。本考案に係るベンチは、簡単に座板を交換できることが特徴となっている。
【００１７】
（ベンチの座板の素材）
座板２の素材としては、ＥＶＡ（エチレン酢酸ビニール）発泡樹脂が好ましい。
ＥＶＡ発泡樹脂とすることで次のような利点がある。
（１）座面が柔らかく座り心地が良い。
（２）雨が浸み込むことがないため、屋外で使用することが可能である。
（３）雨が降った後でも、から拭きで座面を拭くだけですぐ使用することができる。
（４）座板の重量が軽いので、ベンチも軽量となり、子供でもベンチを持ち運ぶことができる。
【００１８】
（ベンチの他の実施形態１）
これまで説明した実施形態では、ブッシュの頭部４が座板の表面に出ないように、ブッシュの頭部４を座板に埋設するための凹部８を設けているが、さらに、凹部８を対応する座板２の両面に設けることにより、座板２をリバーシブルとすることができる。
これにより、座板２の表裏で色・模様等を変えることにより、２種類のベンチとして活用することも可能となる。
【００１９】
（ベンチの他の実施形態２）
これまで紹介した実施形態では、脚フレームに背当があるものは例示されていないが、必要に応じて背当付の脚フレームとすることもできる。
【００２０】
（ベンチの座板の交換）
本考案のベンチは、パイプ状突起４の底部からドライバーなどを用いてブッシュを強く押し上げて外すことにより、座板２を脚フレーム１より簡単に取り外すことができる。
このため座面が劣化した座板を交換したり、座板の表裏面を裏返して使用したりすることを簡単に行うことができる。
【００２１】
以上、本考案に係るベンチについて好適な実施形態を複数例示して説明したが、これらの実施形態は、本考案の技術的範囲を限定するものではなく、実用新案登録請求の範囲に記載された本考案の要旨を逸脱しない範囲内で各種の変更や修正を加えることができることは、言うまでもないことである。
【符号の説明】
【００２２】
１  脚フレーム
２  座板
３  ブッシュ
４  パイプ状突起
５  ブッシュの頭部
６  ブッシュの本体
７  貫通孔
８  凹部
【図１】
0003205483.tif 000003
【図２】
0003205483.tif 000004
【図３】
0003205483.tif 000005